(57)【要約】      （修正有）【課題】映像表示装置の外観を損なうことなく、受光部の位置を知らせることができる映像表示装置を提供する。【解決手段】リモートコントローラからの信号を受信する受光部を備えた映像表示装置において、前記受光部が、受信した前記リモートコントローラからの信号強度が所定値に満たない場合には、前記受光部の位置に関する情報を表示する。【選択図】図１
2014068231.tif 000002
【特許請求の範囲】
【請求項１】
リモートコントローラからの信号を受信する受光部を備えた映像表示装置において、
前記受光部が、受信した前記リモートコントローラからの信号強度が所定値に満たない場合には、
前記受光部の位置に関する情報を表示することを特徴とする映像表示装置。
【請求項２】
前記受光部の位置に関する情報は、矢印であることを特徴とする請求項１に記載の映像表示装置。
【請求項３】
前記受光部の位置に関する情報には、信号強度の表示が含まれることを特徴とする請求項１または２に記載の映像表示装置。
【請求項４】
前記受光部の位置に関する情報には、メッセージが含まれることを特徴とする請求項１から３に記載の映像表示装置。
【請求項５】
前記矢印を一定時間表示することを特徴とする請求項１から４に記載の映像表示装置。
【発明の詳細な説明】
【技術分野】
【０００１】
本発明は、リモートコントローラによって制御される映像表示装置に関する。
【背景技術】
【０００２】
従来から、例えば、放送番組を表示するテレビ受像機などの機器を制御するために、リモートコントローラと呼ばれるテレビ受像機から離れた位置においても、当該機器に対して選局操作などの制御を行うことが可能な装置が用いられている。こうした中、前記リモートコントローラに関する技術開発も盛んに行われている。
【０００３】
例えば、特許文献１では、従来の赤外線リモコンは電池が消耗して赤外線信号強度が不足し、機器に届きにくくなってきていることを判断することができる赤外線リモコンの送信装置あるいは受信装置について、開示されている。
【０００４】
図９は、赤外線リモコンシステムの構成を示すブロック図である。２４は赤外線リモコン送信部、２５は受信部、２６は受光部、２７は信号強度判定部、２８は信号強度記憶部、２９は表示部である。
【０００５】
赤外線リモコン送信部２４から赤外線リモコン信号を受信すると受光部２６の出力信号振幅値は信号強度判定部２７に伝えられる。信号強度判定部２７は、受光部２６が受信した赤外線リモコン信号の出力信号振幅値と信号強度記憶部２８に記憶されている前回の受光部２６の出力信号振幅とを比較し、今回の方が前回よりも信号強度が低い場合には急激に電池が消耗したものと判断して表示部２９に赤外線リモコン送信部２４の電池が消耗した旨を伝える表示をする。
【先行技術文献】
【特許文献】
【０００６】
【特許文献１】特開２００１−１６６６９号公報
【発明の概要】
【発明が解決しようとする課題】
【０００７】
しかしながら、特許文献１に記載の発明では、テレビに対してリモコンの送信装置を向けて操作を行う場合であって、受光部が物に隠れて見えないときには、使用者は受光部の位置を把握できず、受光部において赤外線信号がうまく受信されない可能性があり、たとえ電池が不足していなくてもリモコンの故障などを疑う結果になりかねない。
【０００８】
こうした場合、例えば、テレビが備えるフレームなどに対してシールなどを貼って、受光部の位置を明確化するようなことも考えられるが、外観における美観を損なうとともに、剥がれることもあり、問題である。
【０００９】
そこで、本発明は、上記課題を解決するためのものであり、映像表示装置の外観を損なうことなく、受光部の位置を知らせることができる映像表示装置を提供することを目的とする。
【課題を解決するための手段】
【００１０】
本発明に係る映像表示装置は、リモートコントローラからの信号を受信する受光部を備えた映像表示装置において、前記受光部が、受信した前記リモートコントローラからの信号強度が所定値に満たない場合には、前記受光部の位置に関する情報を表示することを特徴とする。
【００１１】
前記受光部の位置に関する情報は、矢印であることを特徴とする。
【００１２】
前記受光部の位置に関する情報には、信号強度の表示が含まれることを特徴とする。
【００１３】
前記受光部の位置に関する情報には、メッセージが含まれることを特徴とする。
【００１４】
前記矢印を一定時間表示することを特徴とする。
【発明の効果】
【００１５】
本発明に係る映像表示装置によれば、映像表示装置の外観を損なうことなく、受光部の位置を知らせることができる。
【図面の簡単な説明】
【００１６】
【図１】本発明の第１の実施例に関するブロック構成図。
【図２】従来のリモコン信号受光素子の回路図。
【図３】本発明の第１の実施例に関するリモコン信号受光素子の回路図。
【図４】本発明の第１の実施例に関する映像表示装置の表示画面を示す図。
【図５】本発明の第１の実施例に関するフローチャート。
【図６】本発明の第２の実施例に関する映像表示装置の表示画面を示す図。
【図７】本発明の第４の実施例に関するブロック構成図。
【図８】本発明の第４の実施例に関するリモコンの表示画面を示す図。
【図９】従来技術に関する説明図。
【発明を実施するための形態】
【実施例１】
【００１７】
本発明の実施例１について、図１から図５を用いて説明する。図１は、本発明に係る映像表示装置のブロック構成図であり、映像表示装置は、アンテナ１、映像音声信号処理部２、制御部３、映像信号出力部４、音声信号出力部５、表示部６、スピーカ７、ＯＳＤ生成部８、画像合成部９、リモコン信号受光部１０から構成される。また、１１はリモートコントローラ（以下、リモコンと称呼する）である。当該映像表示装置は、リモコンによって制御可能な例えばテレビ受像機である。
【００１８】
次に、本実施例の動作について説明する。アンテナ１は、放送波を受信して周波数変換を行い、映像音声信号処理部２に出力する。尚、放送波の受信に関して、アンテナを用いた構成でなく有線放送のような有線によるものであってもよい。
【００１９】
映像音声信号処理部２は、入力された放送波から、復調する放送信号の選局を行い、入力された放送信号の映像音声部分、番組情報等を含むデータ部分を分離し、圧縮符号化された映像データや音声データを表示データや発生音データにデコードし、映像信号出力部４及び音声信号出力部５に入力する。
【００２０】
映像信号出力部４は、前記入力される信号にもとづいて、例えばスケーリング等の処理を行い、表示部６に表示させる映像信号を生成する。
【００２１】
音声信号出力部５は、前記入力される信号にもとづいて、該信号にＤ／Ａ変換を施した後に信号の増幅を行い、スピーカ７に出力する。
【００２２】
リモコン１１は、使用者によって所定の操作キーを押下されることによって選局、設定メニューの変更などの所定の操作を行うことができるものである。
【００２３】
また、敢えて図示しないが、前記リモコン１１は、例えば赤外線などを送信する送信部を備えており、使用者による操作キーの押下に対応して、後述するリモコン信号受光部１０に赤外線信号を送信することにより、選局動作などを行う。
【００２４】
リモコン信号受光部１０は、図４（ａ）、（ｂ）に示すように、映像表示装置の紙面に向かって右下に設けられ、リモコン１１から送信される赤外線信号を受信する。  尚、リモコン信号受光部の位置は、紙面に向かって右下に設けるとしたが、これに限られるものではない。図１に示すように、前記リモコン信号受光部１０は、リモコン信号受光素子１２及びリモコン信号処理部１３から構成される。
【００２５】
前記リモコン信号受光素子１２は、本実施例においては、図２に示す従来の回路構成と比べて、図３に示すような回路構成をなしている。
【００２６】
図２は、従来のリモコン信号受光素子１２の回路構成を示す回路図であり、リモコン１１から送信される赤外線信号は、フォトダイオードによって電気信号に変換され、増幅器１４において該電気信号は増幅される。
【００２７】
波形整形部１５は、一定の信号のみをフィルタリングするフィルタ機能、波形整形機能などを備え、波形整形部１５に入力される前記増幅器１４において増幅された信号は、フィルタリングを施され、パルス信号に変換されて、信号ＯＵＴ１としてリモコン信号処理部１３に入力される。
【００２８】
一方、図３は、本実施例におけるリモコン信号受光素子１２の回路構成を示す回路図であり、増幅器１４において増幅された電気信号は、波形整形部１５に入力されるとともに、信号ＯＵＴ２としても出力される。
【００２９】
これは、リモコン信号受光部１０において受信する赤外線信号の信号強度が、所定値を満たすか否かを判定するためであり、信号ＯＵＴ１及びＯＵＴ２のいずれもが出力されるときは、信号強度が所定値以上の信号であり、信号ＯＵＴ２のみが出力されるときは、信号強度が所定値に満たない信号である。
【００３０】
上述した信号は、例えば、使用者がリモコンを用いて、当該映像表示装置に対して、斜めの位置から操作を行ったときなどに生じ得るものである。
【００３１】
尚、以下から、リモコン信号受光部１０において受信する赤外線信号の信号強度が、所定値に満たない信号を異常信号と称呼し、信号強度が所定値以上である赤外線信号を正常信号と称呼する。
【００３２】
図１に戻って説明を続ける。リモコン信号受光素子１２は、正常信号を受信したときには、信号ＯＵＴ１がリモコン信号処理部１３に入力されるとともに、信号ＯＵＴ２がＡＤ変換された後に制御部３に入力される。一方、異常信号を受信したときには、信号ＯＵＴ２のみがＡＤ変換を施された後に制御部３に入力される。
【００３３】
リモコン信号処理部１３は、入力される信号ＯＵＴ１に対してデコードを行い、制御部３に出力する。
【００３４】
制御部３は、前記リモコン信号処理部１３から入力される信号にもとづいて、選局、設定メニューの表示などの所定の動作を行う。一方、ＡＤ変換後の信号ＯＵＴ１のみが入力されたときには、異常信号であるものと判定し、ＯＳＤ生成部８にその旨を通知する。
【００３５】
ＯＳＤ生成部８は、前記通知がなされた場合には、リモコン信号受光部１０の位置を示すためのＯＳＤ画像の生成を行い、画像合成部９を介して表示部６に表示する。
【００３６】
尚、ＯＳＤとは、オンスクリーンディスプレイ（Ｏｎ Ｓｃｒｅｅｎ  Ｄｉｓｐｌａｙ）の略称である。
【００３７】
図４（ａ）は、ＯＳＤ画像が、表示部６に表示される表示画面を示していて、１６は表示画面、１７はＯＳＤ画像としての矢印である。該矢印は、リモコン信号受光部１０付近に受光部の位置を指し示すように表示される。これにより、リモコンを用いて所定の操作を行う使用者は、リモコン信号受光部の位置を正確に把握していないときであっても、リモコン信号受光部の位置を知ることができる。また、リモコン信号受光部の位置を学習させることにもつながる。
【００３８】
図４（ｂ）は、矢印を点滅させて目立たせている様子を示しており、使用者に対して、リモコン信号受光部１０の位置を知らせるに際し、より注意を喚起することができる。
【００３９】
また、リモコン信号受光部１０の位置を示すメッセージ１８についても表示している。
【００４０】
尚、リモコン信号受光部の位置を示すＯＳＤ画像は、矢印に限られず、リモコン信号受光部の位置を指し示すものであればよく、指の形を成したアイコンなどであってもよい。
【００４１】
また、矢印１７は、使用者の見落としを防止するため、一定時間の間表示し続けるとしてもよい。
【００４２】
図５は、上述した一連の動作についてフローチャートとして示している。ステップＳ１において、リモコン信号受光部が、リモコンからの赤外線信号を受信し、該受信した信号が、ステップＳ２において異常信号と判定されたときには、ステップＳ３において、矢印の表示を行い、異常信号を受信しない所定時間をはかるためのカウンタ（以下、カウンタと称呼する）をセットする。この際、矢印を点滅させる。
【００４３】
また、ステップＳ２において、異常信号ではないと判定されたならば、ステップＳ４において、選局などの通常のリモコン処理がなされ、ステップＳ５において、現在矢印が表示されているならば、該矢印を消去し、カウンタのリセットを行う。
【００４４】
また、ステップＳ１において、赤外線信号を受信していないときに、ステップＳ６において、矢印が表示中であって、カウンタがゼロであるならば、ステップＳ５において、カウンタをリセットし矢印を消去する。
【００４５】
ステップＳ６において、カウンタがゼロではないならば、所定時間の間、例えば１０秒間矢印を表示させたままにしておく。これは、リモコン信号受光部の位置を把握しておらず、所望の操作を行うことができなかった使用者に対して、該使用者が矢印を見落とすことを防止するためである。
【００４６】
以上、上述したように、本実施例に係る映像表示装置によれば、映像表示装置の外観を損なうことなく、リモコン信号受光部の位置を知らせることができる。
【実施例２】
【００４７】
上述した実施例１においては、リモコン信号受光部の位置を矢印等によって示すとしたが、その他、リモコン信号受光部１０の位置を知らせるためのＯＳＤ画像としては、例えば、図６に示すようなものであってもよい。
【００４８】
図６（ａ）における１９は、リモコン信号受光部１０が受信する赤外線信号の信号強度をバーとして表示している。これにより、使用者は、実際にリモコン信号受光部が受信した信号の信号強度を数値的に知ることができるため、リモコン信号受光部の位置を知らせるための目安とすることができる。また、映像表示装置に対してどの位置からリモコンを用いて操作を行えば、選局などの所望の操作を確実に行うことができるかどうかを学習することができる。
【００４９】
また、図６（ｂ）における２０は、映像表示装置の音量についてバーとして表示している様子を示している。使用者が、リモコンを用いて映像表示装置の音量を調整するときには、通常、音量バーに向けてリモコン操作を行うものである。すなわち、このように音量バーをリモコン信号受光部の近辺に表示することで、映像表示装置のどの位置に対してリモコンを向ければ、所定の操作を行うことができるのか否かについて、学習することができるため、リモコン信号受光部の位置を知ることにもつながる。
【００５０】
尚、音量の表示に限らず、例えば表示画面の明るさを示す表示であってもよい。
【実施例３】
【００５１】
実施例１及び２は、ＯＳＤ画像を表示画面に表示することで、リモコン信号受光部の位置を使用者に知らせるとしたが、本実施例では、リモコン信号受光部１０の位置を知らせるために、該受光部１０が、発光することにより、使用者に対して位置を知らせるものである。前記発光については、例えばＬＥＤなどの所定の光源を受光部に設け、赤外線を発光させるなどして行えばよい。
【実施例４】
【００５２】
本発明の実施例４について、図７、８を用いて説明する。図７は、本発明に係る映像表示装置のブロック構成図であり、実施例１と異なる構成は、送信部２１を新たに設けていることである。尚、実施例１と同一の構成、動作を行うものについては同一の符号を付してその説明を省略する。
【００５３】
制御部３に、ＡＤ変換後の信号ＯＵＴ２のみが入力されたときは、異常信号と判定し、その旨を送信部２１を介してリモコン１１に通知する。
【００５４】
リモコン９は、前記通知にもとづいて、リモコン１１が備える表示部（図示せず）に、図８に示すような映像表示装置の外観を示す画像２２を表示し、併せてリモコン信号受光部１０の位置を示す矢印２３を表示する。これにより、使用者は、リモコンの表示部（図示せず）を見ることにより、リモコン信号受光部の位置を知ることができる。
【符号の説明】
【００５５】
１  アンテナ
２  映像音声処理部
３  制御部
４  映像信号出力部
５  音声信号出力部
６  表示部
７  スピーカ
８  ＯＳＤ生成部
９  画像合成部
１０  リモコン信号受光部
１１  リモートコントローラ
【図１】
2014068231.tif 000003
【図２】
2014068231.tif 000004
【図３】
2014068231.tif 000005
【図４】
2014068231.tif 000006
【図５】
2014068231.tif 000007
【図６】
2014068231.tif 000008
【図７】
2014068231.tif 000009
【図８】
2014068231.tif 000010
【図９】
2014068231.tif 000011